(57)【要約】【課題】保持時に生じる応力がレンズ本体側に伝わるのを防ぐプラスチックレンズを提供することを目的とする。【解決手段】プラスチックレンズ２は、レンズ本体５の外周に、半径方向に突出した突起８が一体成形されている。突起８の先端側にはビス１２が挿通される挿通穴８ａが、根元側には開口８ｂが形成されている。ビス１２を挿通穴８ａに通してレンズ枠１０のビス穴１０ａにねじ込み、プラスチックレンズ２をレンズ枠１０に取り付ける。このビス止めによりプラスチックレンズ２の突起８の先端側には、応力がかかる。この応力は、突起８の根元側を伝ってレンズ本体５側に伝わろうとするが、突起８の根元側に開口８ｂが形成されているため、レンズ本体５にほとんど伝わることがない。【選択図】        図２
2006178236.tif 000002
【特許請求の範囲】
【請求項１】
レンズ本体の外周に半径方向に突出した突起を一体成形し、この突起の先端側がレンズ枠に固定されるプラスチックレンズにおいて、
前記突起の根元側に、突起の先端側を固定したときに生じる応力がレンズ本体側に及ぶことを防ぐ応力吸収部を一体的に形成したことを特徴とするプラスチックレンズ。
【請求項２】
レンズ本体の外周に半径方向に突出した突起を一体成形し、この突起の先端側に鏡筒に形成されたカム溝と係合するカムフォロワが固定されるプラスチックレンズにおいて、
前記突起の根元側に、前記カムフォロワを固定したときに生じる応力がレンズ本体側に及ぶことを防ぐ応力吸収部を一体的に形成したことを特徴とするプラスチックレンズ。
【請求項３】
レンズ本体の外周に半径方向に突出した弾性変形する突片を一体成形し、この突片の先端側がレンズ枠の前面に固定されるプラスチックレンズにおいて、
レンズ本体の背面側外周部にレンズ枠の前面に当接してレンズ本体を光軸方向で位置決めする位置決め面を形成し、前記突片の先端側をレンズ枠の前面に固定することによって突片の先端側が背面側に弾性変形され、前記突片の弾性により前記位置決め面をレンズ枠の前面に押圧するとともに、前記突片の変形に伴う応力がレンズ本体側に及ぶことを防ぐ応力吸収部を突片の根元側に形成したことを特徴とするプラスチックレンズ。
【発明の詳細な説明】
【技術分野】
【０００１】
本発明は、カメラや光ディスク装置等の光学機器に用いられるプラスチックレンズに関するものである。
【背景技術】
【０００２】
レンズ付きフイルムユニットやデジタルカメラをはじめとする光学機器には、ガラス製レンズと比較して、非球面形状が形成しやすい、軽量で割れにくい、製造が容易であるなどの理由から、プラスチックを射出成形して製造されるプラスチックレンズが用いられる機会が増えている。
【０００３】
プラスチックレンズの中には、光学レンズとしての機能を有するレンズ本体の外周に光学レンズとしての機能を持たないコバが形成されたものがあり、ケースに保持して使用される。ケース内には、板バネが設けられ、この板バネがコバ面を押圧し、プラスチックレンズをケースに保持する（特許文献１参照）。
【特許文献１】特開２００１−２０９１１８号公報
【発明の開示】
【発明が解決しようとする課題】
【０００４】
しかしながら、上述したようにプラスチックレンズをケースに保持すると、板バネの押圧によりコバ面に生じる応力がレンズ本体側に伝わるために、レンズ本体に歪みが生じ、レンズ性能に影響がでるといった問題があった。
【０００５】
本発明は、上記課題を解決するためになされたものであり、保持時に生じる応力がレンズ本体側に伝わるのを防ぐプラスチックレンズを提供することを目的とする。
【課題を解決するための手段】
【０００６】
上記課題を解決するために本発明のプラスチックレンズは、レンズ本体の外周に半径方向に突出した突起を一体成形し、この突起の先端側がレンズ枠に固定され、前記突起の根元側に、突起の先端側を固定したときに生じる応力がレンズ本体側に及ぶことを防ぐ応力吸収部を一体的に形成したことを特徴とする。
【０００７】
また、レンズ本体の外周に半径方向に突出した突起を一体成形し、この突起の先端側が鏡筒に形成されたカム溝と係合するカムフォロワが固定され、前記突起の根元側に、前記カムフォロワを固定したときに生じる応力がレンズ本体側に及ぶことを防ぐ応力吸収部を一体的に形成したことを特徴とする。
【０００８】
また、レンズ本体の外周に半径方向に突出した弾性変形する突片を一体成形し、この突片の先端側がレンズ枠の前面に固定され、レンズ本体の背面側外周部にレンズ枠の前面に当接してレンズ本体を光軸方向で位置決めする位置決め面を形成し、前記突片の先端側をレンズ枠の前面に固定することによって突片の先端側が背面側に弾性変形され、前記突片の弾性により前記位置決め面をレンズ枠の前面に押圧するとともに、前記突片の変形に伴う応力がレンズ本体側に及ぶことを防ぐ応力吸収部を突片の根元側に一体的に形成したことを特徴とする。
【発明の効果】
【０００９】
本発明のプラスチックレンズによれば、レンズ本体の外周に半径方向に突出した突起の根元側に、突起の先端側を固定したときに生じる応力がレンズ本体側に及ぶことを防ぐ応力吸収部を一体的に形成したので、レンズ枠に保持するときの固定により生じる応力がレンズ本体に伝わることを防止できる。
【００１０】
また、レンズ本体の外周に半径方向に突出した突起を一体成形し、前記突起の根元側に、カムフォロワを固定したときに生じる応力がレンズ本体側に及ぶことを防ぐ応力吸収部を一体的に形成したので、カムフォロワを固定したときに生じる応力がレンズ本体に伝わることを防止できる。
【００１１】
また、レンズ本体の外周に半径方向に突出した突片の根元側に、突片の先端側を固定することによって突片の先端側が背面側に弾性変形する応力がレンズ本体側に及ぶことを防ぐ応力吸収部を一体的に形成することにより、レンズ枠に保持したときに前記突片の変形に伴う応力がレンズ本体に伝わることを防止できる。また、レンズ本体の背面側外周部にレンズ枠の前面に当接してレンズ本体を光軸方向で位置決めする位置決め面が形成されているので、プラスチックレンズをレンズ枠に組むときの光軸方向の位置決めが容易に行える。
【００１２】
なお、前記応力吸収部として、ゴム等の別部材を採用し、この別部材を前記突起や突片とレンズ枠との間に配置することも考えられる。しかしながら、このような別部材を用いると、部品点数が増えるとともに調整作業等の工数が増えるため、コストアップの原因になる。したがって、本発明は、このような別部材を除く意図で、前記突起や突片の根元側に応力吸収部を一体的に形成されている。
【発明を実施するための最良の形態】
【００１３】
本発明の第１実施形態を示す図１において、プラスチックレンズ２は、プラスチックを射出成形して作られた凸レンズである。プラスチックレンズ２は、光学レンズとしての機能を有するレンズ本体５の外周に、半径方向に突出した突起８が４個均等間隔に一体成形されている。この突起８の先端側には、ビス１２が挿通される挿通穴８ａが形成されている。突起８の根元側には、これと一体的に形成される本発明に係る応力吸収部として、矩形状をした開口８ｂが形成されている。また、レンズ表面には、スペーサ（図示せず）と接するスペーサ受け５ａが形成されている。
【００１４】
プラスチックレンズ２をレンズ枠に保持した状態を示す図２において、レンズ枠１０の前面には、ビス１２の先端をねじ込むビス穴１０ａが形成されている。プラスチックレンズ２を位置調整しながらレンズ枠１０に組み、ビス１２と挿通穴８ａに通してビス穴１０ａをねじ込む。これにより、突起８の先端側がレンズ枠１０にビス止めによって固定され、プラスチックレンズ２がレンズ枠１０に保持される。
【００１５】
本実施形態の作用について説明する。レンズ枠１０に保持されたプラスチックレンズ２の突起８の先端側には、ビス止め固定による応力がかかる。この応力は、突起８の根元側を伝ってレンズ本体５側に伝わろうとするが、突起８の根元側に開口８ｂが形成されているため、レンズ本体５に伝わることが防止される。
【００１６】
本発明の第２実施形態を示す図３において、プラスチックレンズ１５は、光学レンズの機能を有するレンズ本体１８の外周に半径方向に突出した突起２０が３個均等間隔で一体成形されている。突起２０の根元側に一体的に形成される応力吸収部として矩形状をした開口２０ａが、突起２０の先端にはカムフォロワ２３の軸部２４が遊挿される遊挿穴２０ｂが形成されている。この遊挿穴２０ｂの奥には、ビス２５の先端がねじ込まれるビス穴２０ｃが形成されている。
【００１７】
カムフォロワ２３には、ビス２５が貫通する貫通穴２３ａが形成されている。この貫通穴２３ａに通したビス２５を、ビス穴２０ｃにねじ込むことで、カムフォロワ２３が回転自在にプラスチックレンズ１５にビス止め固定される。
【００１８】
プラスチックレンズ１５が取り付けられるズームカム鏡筒及び固定筒を示す図４において、ズームカム鏡筒２７には、異なる形状をしたズームカム溝２７ａとズームカム溝２７ｂが形成され、このズームカム溝２７ａ，２７ｂにカムフォロワ２３の根元側が係合される。また、ズームカム鏡筒２７の内部には、プラスチックレンズ１５が収納される。固定筒３０には、カムフォロワ２３の先端側が係合される直進カム溝３０ａが形成され、また、内部にはズームカム鏡筒２７が収納される。
【００１９】
プラスチックレンズ１５をズームカム鏡筒２７内に取り付けるには、まず、各遊挿穴２０ｂがズームカム溝２７ａから露呈するようにプラスチックレンズ１５をズームカム鏡筒２７に収納し、このズームカム鏡筒２７を、直進カム溝３０ａから各遊挿穴２０ｂが露呈するように固定筒３０に収納する。次に、カムフォロワ２３の軸部２４を各遊挿穴２０ｂに挿通し、ズームカム溝２７ａ及び直進カム溝３０ａに係合させる。その後、プラスチックレンズ１５とズームカム鏡筒２７ａと固定筒３０との組み位置を調整し、ビス２５を
貫通穴２３ａに通してビス穴２０ｃにねじ込み、カムフォロワ２３をプラスチックレンズ１５にビス止め固定する。これにより、プラスチックレンズ１５は、カムフォロワ２３を介して、ズームカム鏡筒２７内に取り付けられる。このプラスチックレンズ１５は、ズームカム鏡筒２７を回動すると、光軸方向に移動する。
【００２０】
さらに、プラスチックレンズ１５と同様に構成されたプラスチックレンズ３２を、各遊挿穴２０ｂがズームカム溝２７ｂ及び直進カム溝３０ａから露呈するように、ズームカム鏡筒２７内に収納する。次に、プラスチックレンズ３２の組み位置を調整しながら、カムフォロワ２３をプラスチックレンズ３２にビス止め固定する。これにより、プラスチックレンズ３２は、プラスチックレンズ１５と同様に、カムフォロワ２３を介して、ズームカム鏡筒２７内に取り付けられる。このプラスチックレンズ３２は、ズームカム鏡筒２７を回動すると、光軸方向に移動する。なお、ズームカム鏡筒２７の回動に伴うプラスチックレンズ１５，３２の光軸方向の移動量は異なる。
【００２１】
本実施形態の作用について説明する。ズームカム鏡筒２７に取り付けられたプラスチックレンズ１５，３２の突起２０の先端側には、ビス止めにより応力がかかる。この応力は、レンズ本体１８側に伝わろうとするが、突起２０の根元側に開口２０ａが形成されているため、レンズ本体１８に伝わることが防止される。
【００２２】
また、プラスチックレンズ１５，３２は、カムフォロワ２３をビス止め固定してズームカム鏡筒２７及び固定筒３０に取り付けられるので、レンズ保持枠が不要となる。ズームカム鏡筒２７を回動すると、プラスチックレンズ１５，３２の光軸方向の間隔が変わり、光学系の倍率が変化する。
【００２３】
本発明の第３の実施形態を示す図５において、プラスチックレンズ３４は、レンズ本体３５の外周縁の光軸方向のほぼ中間位置に、半径方向に突出した突片３７が４個外周に沿って均等間隔に配列成形されている。突片３７は、厚みが薄く弾性変形可能で、根元側には一体的に形成される応力吸収部として矩形状をした開口３７ａが、先端側にはビス３８（図６参照）が挿通される挿通穴３７ｂが形成されている。また、レンズ本体３５の背面側外周部には、レンズ枠３９（図６参照）に当接し、レンズ本体３５を光軸方向で位置決めする位置決め面３５ａ（図６参照）が形成されている。
【００２４】
プラスチックレンズ３４をレンズ枠３９に保持した状態を示す図６において、レンズ枠３９の前面には、ビス３８の先端をねじ込むビス穴３９ａと、位置決め面３５ａと当接するレンズ受け面３９ｂが形成されている。レンズ受け面３９ｂに位置決め面３５ａを当接し、遊挿穴２０ｂに挿通したビス２８をビス穴３９ａにねじ込んで、プラスチックレンズ３４をレンズ枠３９にビス止め固定する。
【００２５】
本実施形態の作用について説明する。プラスチックレンズ３４をレンズ枠３９にビス止めすることにより、突片３７の先端側はレンズ枠３９側に弾性変形し、突片３７の先端側に生じる応力は、レンズ本体３５側に伝わろうとするが、突片３７の根元側に開口３７ａが形成されているため、レンズ本体３５に伝わることが防止される。
【００２６】
以上説明した実施形態では、プラスチックレンズの突起や突片の根元側に一体的に形成される応力吸収部として矩形状の開口を採用したが、本発明はこれに限定されることなく、プラスチックレンズ保持時に生じる応力を吸収するものであれば、例えばコの字状の溝でもよい。また、レンズ本体の形状は、円形に限定されることなく、四角形などの様々な形状をしたプラスチックレンズであってもよい。
【図面の簡単な説明】
【００２７】
【図１】本発明の第１実施形態を示す外観斜視図である。
【図２】プラスチックレンズをレンズ枠に取り付けた状態を示す断面図である。
【図３】本発明の第２実施形態を示す説明図である。
【図４】固定筒及びズームカム鏡筒を示す説明図である。
【図５】本発明の第３実施形態を示す外観斜視図である。
【図６】第３実施形態のプラスチックレンズをレンズ枠に取り付けた状態を示す断面図である。
【符号の説明】
【００２８】
２，１５，３２，３４  プラスチックレンズ
５，１８，３５  レンズ本体
８，２０  突起
８ａ，３７ｂ  挿通穴
８ｂ，２０ａ，３７ａ  開口
１０，３９  レンズ枠
１２，２５，３８  ビス
２０ｂ  遊挿穴
２７  ズームカム鏡筒
３０  固定筒
【図１】
2006178236.tif 000003
【図２】
2006178236.tif 000004
【図３】
2006178236.tif 000005
【図４】
2006178236.tif 000006
【図５】
2006178236.tif 000007
【図６】
2006178236.tif 000008